【手続補正書】
【提出日】令和1年12月6日(2019.12.6)
【手続補正１】
【補正対象書類名】特許請求の範囲
【補正対象項目名】全文
【補正方法】変更
【補正の内容】
【特許請求の範囲】
【請求項１】
カートリッジ（１００、３００、６００）および血液採取装置（４００、８００、１２００、１５１３）を用いて血液試料（５００）中の分析物の量を決定する方法であって、
前記カートリッジは回転軸の周りで回転されるように動作可能であり、
前記血液採取装置は、
取り付け面（４０２）と、
湾曲部（４０６）を備える、前記血液試料を保持するための毛管構造（４０４）と、
前記血液試料を受け取るための毛管入口（４０３）と
を備え、
前記カートリッジは、
前記取り付け面に取り付けられるための受け取り面と、
前記血液採取装置から前記血液試料を受け取るためのカートリッジ注入口（１０８）であって、前記血液採取装置は、前記取り付け面が前記受け取り面に取り付けられると前記毛管入口がカートリッジ注入口と流体接続するように構成される、カートリッジ注入口（１０８）と、
前記カートリッジ注入口に流体接続される、前記血液試料を処理済みの試料へと処理するためのマイクロ流体構造（１１１）と、
前記血液試料中の前記分析物の量を決定するために、前記処理済みの試料の測定を可能にする測定構造（１３０）と
を備え、
前記方法は、
前記血液試料を前記毛管入口内に配置すること（１１００、１４００）と、
前記取り付け面を前記受け取り面に取り付けること（１１０４、１４０４）と、
前記毛管構造から前記カートリッジ注入口へ前記血液試料を搬送するために、前記回転軸周りで前記カートリッジを回転させること（１６００）と、
前記カートリッジ注入口から前記マイクロ流体構造へ前記血液試料を搬送するために、前記回転軸周りで前記カートリッジを回転させること（１６０２）と、
前記マイクロ流体構造を用いて前記血液試料を前記処理済みの試料へと処理するために、前記回転軸周りでの前記カートリッジの回転を制御すること（１６０４）と、
前記処理済みの試料を前記測定構造へ移送するために、前記カートリッジの回転を制御すること（１６０６）と、
前記測定構造および測定システムを用いて前記分析物の量を測定すること（１６０８）と
を含む方法。
【請求項２】
前記マイクロ流体構造が、前記血液試料から血漿または血清を分離するための血液分離チャンバ（１１８）を備え、前記血液分離チャンバが前記カートリッジ注入口に流体接続され、
前記方法がさらに、
前記カートリッジ注入口から前記血液分離チャンバ内へ前記血液試料を搬送するために、前記回転軸周りで前記カートリッジを回転させることと、
遠心分離によって前記血液試料から血漿を分離するために、前記回転軸周りでの前記カートリッジの回転を制御することと
を含み、
前記マイクロ流体構造を用いて前記血液試料を前記処理済みの試料へと処理するために、前記回転軸周りでの前記カートリッジの回転を制御するステップが、前記血漿が前記処理済みの試料へと処理されるように実施される請求項１記載の方法。
【請求項３】
前記血液採取装置が、第１のスナップエレメント（８０６）を備え、前記カートリッジが、前記取り付け面を前記受け取り面にロックするために前記第１のスナップエレメントと係合するように構成される第２のスナップエレメントを備える請求項２記載の方法。
【請求項４】
前記血液採取装置が、前記取り付け面を前記受け取り面に案内するように構成される可撓性エレメントを介して前記カートリッジに取り付けられる請求項２または３記載の方法。
【請求項５】
血液試料（５００）を保管するための血液採取装置（４００、８００、１２００、１５１３）を備える医療システム（１５００）であって、前記血液採取装置が、
カートリッジ（１００、３００、６００）の受け取り面に取り付けられるための取り付け面（４０２）と、
湾曲部（４０６）を備える、前記血液試料を保持するための毛管構造（４０４）と、
前記血液試料を前記毛管構造内に受け取るための毛管入口（４０３）と
を備える医療システム（１５００）。
【請求項６】
前記毛管構造が、前記毛管構造が前記血液試料で充填されたときにそれを示すための視覚インジケータ（５０２）の少なくとも一部を形成する請求項５記載の医療システム。
【請求項７】
前記医療システムが、前記カートリッジをさらに備え、前記カートリッジが、回転軸（１０２）の周りで回転されるように動作可能であり、前記カートリッジが、
前記受け取り面と、
前記血液採取装置から前記血液試料を受け取るためのカートリッジ注入口（１０８）であって、前記血液採取装置は、前記取り付け面が前記受け取り面に取り付けられると前記毛管入口が前記カートリッジ注入口に配置されるように構成される、カートリッジ注入口（１０８）と、
前記カートリッジ注入口に流体接続される、前記血液試料を処理済みの試料へと処理するためのマイクロ流体構造（１１１）と、
前記血液試料中の分析物の量を決定するために、前記処理済みの試料の測定を可能にする測定構造（１３００）と
を備える請求項６記載の医療システム。
【請求項８】
前記マイクロ流体構造が、前記血液試料から血漿を分離するための血液分離チャンバを備え、前記血液分離チャンバが、前記カートリッジ注入口に流体接続される請求項７記載の医療システム。
【請求項９】
前記血液採取装置が、第１のスナップエレメント（８０６）を備え、前記カートリッジが、前記取り付け面を前記受け取り面にロックするために前記第１のスナップエレメントと係合するように構成される第２のスナップエレメントを備える請求項５〜８のいずれか１項に記載の医療システム。
【請求項１０】
前記毛管構造が、硬質プラスチックから形成され、前記毛管入口が、前記毛管構造に垂直であり、前記毛管入口が、前記取り付け面を越えて延在し、前記血液採取装置が、指把持部（８０２）を備える請求項９記載の医療システム。
【請求項１１】
前記血液採取装置が、前記取り付け面を前記受け取り面に案内するように構成される可撓性エレメント（４１８）を介して前記カートリッジに取り付けられる請求項９記載の医療システム。
【請求項１２】
前記血液採取装置が、露出面（４０１）を備え、前記毛管構造が、開放チャネル（４０８、４１０、４１２）として前記露出面に形成され、前記毛管入口が、前記開放チャネルが前記露出面に合流する場所に形成される請求項１１記載の医療システム。
【請求項１３】
前記血液採取装置が、フォイル部（１２０４）を備え、前記血液採取装置が、成形部（１２０２）をさらに備え、前記成形部は、プラスチックであり、前記毛管構造および前記毛管入口が、前記成形部に形成され、前記湾曲部が、平面に平行であり、前記フォイル部が、前記平面に平行であり、前記フォイル部が、前記毛管構造の壁を形成する請求項５〜７のいずれか１項に記載の医療システム。
【請求項１４】
前記医療システムが、回転軸周りでの前記カートリッジの回転を制御するためのカートリッジスピナ（１５０２）をさらに備える請求項１３記載の医療システム。
【請求項１５】
前記医療システムが、機械が実行可能な命令（１５３０）を記憶するためのメモリ（１５２２）と、前記医療システムを制御するためのプロセッサ（１５１８）とを備え、前記機械が実行可能な命令の実行が、前記プロセッサに、
前記カートリッジスピナを制御することによって前記毛管構造の前記血液試料をカートリッジ注入口まで搬送するために、前記カートリッジを前記回転軸周りで回転させ（１６００）、
前記カートリッジスピナを制御することによって前記カートリッジ注入口からマイクロ流体構造へ前記血液試料を搬送するために、前記カートリッジを前記回転軸周りで回転させ（１６０２）、
前記カートリッジスピナを制御することによって前記マイクロ流体構造を用いて前記血液試料を処理済みの試料へと処理するために、前記カートリッジの前記回転軸周りでの回転を制御させ（１６０４）、
前記カートリッジスピナを制御することによって前記処理済みの試料を測定構造へ移送するために、前記カートリッジの回転を制御させ（１６０６）、
前記測定構造および測定システムを用いて分析物の量を測定させる（１６０８）
請求項１４記載の医療システム。